(57)【特許請求の範囲】
【請求項１】
ケース本体１０と蓋体１１とでディスクカートリッジ１用の収納室が区画してあり、ケース前面にディスクカートリッジ１を出し入れする第１開口１２が設けてあるブックケース型の収納ケースであって、
ケース本体１０の上面にディスクカートリッジ１およびインデックスカード１３を出し入れする第２開口１７が設けられており、
蓋体１１は、ケース本体１０の左右の側壁１５と蓋体１１の蓋側壁１９との間に設けた、軸２１および前後に長いガイド溝２２を介してケース本体１０に連結されていて、第２開口１７を閉止する閉じ位置と、ガイド溝２２に沿って第１開口１２から遠ざかる側へスライド移動する開放待機位置と、ガイド溝２２の端部において上開き揺動して第２開口１７を開放する開放位置とに変位できるようケース本体１０に支持されており、
開放待機位置における蓋体１１の揺動中心が、閉じ位置における軸２１の軸中心より上方に位置するよう、ガイド溝２２の少なくとも一端寄りが傾斜しているディスクカートリッジ用の収納ケース。
【請求項２】
蓋体１１が閉じ位置から開放待機位置へ移動し終わるまでの間、蓋体１１の上開き揺動を規制する蓋ロックＦが、側壁１５と蓋側壁１９との間に設けてある請求項１記載のディスクカートリッジ用の収納ケース。
【請求項３】
ガイド溝２２が、ガイド溝２２の大半を占める水平の主溝２２ａと、ガイド溝２２の一端において傾斜する斜め溝２２ｂとで形成してある請求項１又は２記載のディスクカートリッジ用の収納ケース。
【請求項４】
ガイド溝２２の全体が、一端から他端へ向かって傾斜している請求項１又は２記載のディスクカートリッジ用の収納ケース。
【請求項５】
ガイド溝２２の開放待機位置側の端部に、軸２１を係合捕捉する保持部３８が凹み形成してある請求項１又は２又は３又は４記載のディスクカートリッジ用の収納ケース。
【発明の詳細な説明】
【０００１】
【発明の属する技術分野】
薄い角箱状のカートリッジケース内に、光ディスクや光磁気ディスク等のディスク状の信号記録媒体を内蔵したディスクカートリッジがある。本発明は、この種のディスクカートリッジを収納保存するためのブックケース型の収納ケースに関する。
【０００２】
【従来の技術】
かかるディスクカートリッジのひとつにミニディスク（以下単にＭＤという）がある。ＭＤ用の収納ケースは薄い角箱状に形成してあり、ケース前側面に出入口を設けてブックケース状に構成してある。この種のブックケース型の収納ケースは、ＶＴＲ用の磁気テープカートリッジにおいても採用されている。ケースの左右側壁の内奥寄りには一対のロック体が組み込んであり、ＭＤを収納ケースに差し込んで、両ロック体をカートリッジケースの下面両側の位置決め凹部に落とし込み係合することにより、ＭＤが収納ケースから滑落するのを防止できる。
【０００３】
【発明が解決しようとする課題】
ブックケース型に構成した収納ケースは、ＭＤを収納ケースに単に挿嵌し、あるいはＭＤをロック体の弾性に抗して収納ケースから抜き出し操作するだけで、手軽に出し入れできる。しかし、出入口の開口幅が５〜６mm前後と狭いため、例えば薄暗い場所等ではＭＤを収納ケースに挿嵌し辛い。インデックスカードの収納ケースへの出し入れも煩雑となる。
【０００４】
上記のような使用上の不便を解消するために、本発明者はブックケース型の収納ケースでありながら、ケース前面の出入口とは別に、収納ケースの上面をも開閉できるようにすることを考えた。因みに、ケース本体の上面を開放する収納ケース構造は、フィリップス型の磁気テープカートリッジやコンパクトディスク用の収納ケースに見ることができる。しかし蓋体を単に揺動開閉する場合には、例えば収納ケースが他物と衝突したり、落下衝撃を受けるような場合に、蓋体が容易に開放揺動し、収納対象が収納ケースから飛び出してしまうおそれがある。
【０００５】
本発明の目的は、蓋体を一定量スライド開放した後でないと開放揺動できないようにして、他物との衝突や落下衝撃によって、蓋体が簡単に開いてしまうのを防止することにある。本発明の他の目的は、蓋体を一定量スライド開放した位置において、蓋体の開閉を確実に行えるようにすることにある。
【０００６】
【課題を解決するための手段】
本発明は、ケース本体１０と蓋体１１とでディスクカートリッジ１用の収納室が区画してあり、ケース前面にディスクカートリッジ１を出し入れする第１開口１２が設けてあるブックケース型の収納ケースを対象とする。ケース本体１０の上面にはディスクカートリッジ１およびインデックスカード１３を出し入れする第２開口１７を設ける。蓋体１１は、ケース本体１０の左右の側壁１５と蓋体１１の蓋側壁１９との間に設けた、軸２１および前後に長いガイド溝２２を介してケース本体１０に連結されていて、第２開口１７を閉止する閉じ位置と、ガイド溝２２に沿って第１開口１２から遠ざかる側へスライド移動する開放待機位置と、ガイド溝２２の端部において上開き揺動して第２開口１７を開放する開放位置とに変位できるようケース本体１０に支持する。開放待機位置における蓋体１１の揺動中心が、閉じ位置における軸２１の軸中心より上方に位置するよう、ガイド溝２２の少なくとも一端寄りを傾斜させてある。
【０００７】
具体的には、蓋体１１が閉じ位置から開放待機位置へ移動し終わるまでの間、蓋体１１の上開き揺動を規制する蓋ロックＦを、側壁１５と蓋側壁１９との間に設ける。ガイド溝２２は、ガイド溝２２の大半を占める水平の主溝２２ａと、ガイド溝２２の一端において傾斜する斜め溝２２ｂとで形成する。あるいは、ガイド溝２２の全体を、一端から他端へ向かって傾斜させる。ガイド溝２２の開放待機位置側の端部に、軸２１を係合捕捉する保持部３８を凹み形成する。
【０００８】
【作用】
閉じ位置ないしは、閉じ位置から開放待機位置に至るまでの間、蓋体１１はケース本体１０の後壁１６が障害となって上開き揺動できず、開放待機位置までスライドした状態でのみ上開き揺動できる。従って、例えば落下衝撃を受けただけで蓋体１１が開放揺動することはなく、ディスクカートリッジ１を確実に保護できる。開放待機位置におていは、ガイド溝２２の傾斜路の垂直成分の分だけ蓋体１１がケース本体１０から上方へ離れる。従って、蓋体１１の主面壁１８は、後壁１６に対して先の上昇寸法を含む十分な余裕隙間を有する状態で、回り込み揺動できる。このことは、例えば蓋体１１の揺動開閉途中に、軸２１とガイド溝２２とが相対移動して、揺動中心がケース前方へずれ動くような場合にも、主面壁１８が後壁１６と接当干渉することなく回り込み揺動できることを意味する。
【０００９】
例えばガイド溝２２の全体が傾斜している場合には、蓋体１１が後方スライドした分だけ、ケース本体１０と蓋体１１との間に隙間を生じ、この隙間分だけ蓋体１１を上方揺動できる。軸２１とガイド溝２２との間の余裕隙間によっても、同様の事態を生じ得る。こうした、スライド開放途中の蓋体１１の上方揺動を規制するために蓋ロックＦが設けてある。
【００１０】
水平の主溝２２ａと斜め溝２２ｂとで形成したガイド溝２２は、主溝２２ａに沿うスライド移動と、斜め溝２２ｂに沿うスライド移動とを経た後でないと蓋体１１が開放待機位置へ変位できず、両溝２２ａ・２２ｂの溝方向が異なっているので、外力を受けた蓋体１１がいきなり開放待機姿勢に切り換わって開放揺動するのをよく防止できる。ガイド溝２２の端部に保持部３８を凹み形成した収納ケースによれば、開放途中に軸２１とガイド溝２２が相対移動するのを阻止して、蓋体１１を安定した状態で揺動開閉できる。
【００１１】
【実施例】
図１ないし図６は本発明の実施例を示しており、これはＭＤ（ディスクカートリッジ）用の収納ケースに供するものである。図２においてＭＤ１は、光磁気ディスク２が薄角箱状のカートリッジケース３に収まっており、カートリッジケース３の上下両面の一側に開口した信号読み取り窓４をシャッター５でスライド開閉できる。カートリッジケース３の下ハーフの左右両側の後部には、位置決め用の凹部６が半長円状にそれぞれ凹設されている。
【００１２】
図２において、収納ケースはケース本体１０と蓋体１１とで内部に収納室が区画してある薄形角箱状のケースからなり、ケース前面がＭＤ１を出し入れする第１開口１２として開口する。収納室の内部には、ＭＤ１と共にインデックスカード１３を収容できる。
【００１３】
図５においてケース本体１０は、底壁１４と、左右一対の側壁１５・１５と、底壁１４の後縁に立設した後壁１６とを一体に形成した、上面および前面が開口するプラスチック成形品からなり、ケース上面の開口を第２開口１７とし、ケース前面の開口を先の第１開口１２とする。蓋体１１は、第２開口１７の全体を上面側から閉止する主面壁１８と、主面壁１８の左右両側の下面側に突設した左右一対の蓋側壁１９と、主面壁１８の後縁の左右両端から下方に突設した蓋後壁２０とを一体に形成したプラスチック成形品からなり、透明ないし半透明のプラスチック材で形成する。
【００１４】
ケース本体１０と蓋体１１とは次のように連結することにより、先の第２開口１７を蓋体１１で開閉する。図５に示すように、蓋体１１の左右の蓋側壁１９の中途部の下端外面に軸２１をそれぞれ外向きに突設し、ケース本体１０の左右側壁１５の後端下部にガイド溝２２を設け、このガイド溝２２で軸２１を受け入れ支持する。図１に示すようにガイド溝２２は、側壁１５の内面に突設したリブ２３で区画し、その大半を占める水平の主溝２２ａと、溝後端において上向きに傾斜する斜め溝２２ｂとで形成する。ガイド溝２２の長さは、後述するロック体３３の装着位置との関係で規定しており、蓋体１１を開放待機位置までスライド開放したとき、ロック体３３の装着個所がケース後方へ十分に突出できる長さに設定する。
【００１５】
蓋体１１は、主面壁１８がケース本体１０の左右側壁１５の上端面で受け止められて、第２開口１７を完全に閉止する図６（ａ）の閉じ位置と、図６（ｂ）に示すように全体がガイド溝２２に沿って第１開口１２から遠ざかる向き（後方）へスライド移動した開放待機位置と、図６（ｃ）に示すように全体が軸２１を中心にして上開き揺動して第２開口１７を開放する開放位置とに変位できる。蓋体１１の後方ライドを許すために、図５に示すごとく後壁１６の左右両端には、それぞれ開口２５を設けてある。さらに、蓋体１１が揺動開閉するとき、蓋側壁１９がケース本体１０の底壁１４と接当干渉するのを防ぐために、蓋側壁１９の軸２１より後ろ側の壁面に逆Ｖ字形の切欠２６を設けている。
【００１６】
閉じ位置において、蓋体１１が不用意にケース後方へスライド移動するのを規制するために、蓋側壁１９と左右の側壁１５との対向面間にスライドロックを設ける。さらに、蓋体１１が閉じ位置から開放待機位置までスライド変位する間に、蓋体１１が軸２１を中心にして上開き揺動するのを防止するために、蓋側壁１９と左右の側壁１５との対向面間に蓋ロックＦを設けてある。
【００１７】
図６においてスライドロックは、蓋側壁１９の外側面の前端上部に突設した係合片２７と、係合片２７に対応して両側壁１５の内側面の前端上部に突設したロック壁２８とからなる。係合片２７の上面前端には、ロック壁２８に係合する突部２９を設ける。閉じ位置において、突部２９はロック壁２８の前面に下方から接当係合して、蓋体１１が後方へスライドするのを規制する。スライドロックは係合片２７を弾性変形させながら突部２９がロック壁２８の下面をくぐり抜けた時点で、ロック解除状態に切り換わる。
【００１８】
蓋ロックＦは、ケース本体１０の左右両側壁１５の上端内面に突設した前後に長いロックリブ３１と、各蓋側壁１９の外側面に突設したロック片３２とで構成する。閉じ位置において、ロック片３２はロックリブ３１の下方に位置しており、前後スライドは自由にできるが、上方への移動はロックリブ３１で規制される。ロック片３２は、スライドロックの係合片２７がロック解除状態に切り換わった後にも、ロックリブ３１で上方への移動が規制されており、軸２１が斜め溝２２ｂの下端に達した状態において、ロックリブ３１の下面をくぐり抜ける。
【００１９】
軸２１が斜め溝２２ｂの上端に達した開放待機位置においては、蓋体１１が軸２１を中心にして自由に上開き操作でき、主面壁１８は後壁１６を回り込んで水平姿勢から９０度ないし９０度を越えて揺動した位置まで起立揺動できる。図６（ｃ）に示すように蓋体１１を起立開放した状態では、第２開口１７の全体が開放されるので、収納室にＭＤ１やインデックスカード１３を容易に出し入れできる。蓋体１１は上記の手順を逆にたどることによって閉じ位置へ戻せる。なお、ＭＤ１だけを出し入れする場合には、蓋体１１を全開放する必要はなく、開放待機位置や、蓋体１１を僅かに上開き揺動した状態でＭＤ１を出し入れできる。
【００２０】
収納ケースの取り扱い時にＭＤ１が収納ケースから滑落するのを防ぐために、蓋体１１の左右の蓋側壁１９にそれぞれロック体３３を設ける。図５においてロック体３３は、前後一対の係合爪３４を有するコ字枠状の基部３５と、基部３５の下部に連続する台形枠状の弾性腕３６とを一体に形成したプラスチック成形品からなり、係合爪３４を蓋側壁１９に圧嵌係合して装着する。この装着状態において、弾性腕３６は蓋側壁１９の内側方に突出していて、図４に示すようにＭＤ１を収納ケースに装填した状態では、弾性腕３６が凹部６に外側方から係合できる。
【００２１】
以上のように構成した収納ケースは、使用状況に応じて第１開口１２と第２開口１７のいずれの開口からでも、ＭＤ１およびインデックスカード１３を出し入れできる。蓋体１１を閉じ位置から開放待機位置までスライド開放すると、斜め溝２２ｂの垂直成分に相当する寸法分だけ、蓋体１１の揺動中心を閉じ位置における軸２１の軸中心より上方に位置させて、主面壁１８と後壁１６の上端面との間の隙間量を大きくすることができる。従って、蓋体１１の開閉途中に軸２１がケース前方へ滑り移動する場合にも、支障なく蓋体１１を揺動開閉できる。スライド途中に蓋体１１が上方揺動し、あるいはケース本体１０の上面上方へ移動しようとするのを蓋ロックで阻止でき、使用者の明確な意図がない限りは、蓋体１１を開放できない状態に維持できる。
【００２２】
ガイド溝２２は図７に示すように形成できる。そこでは、溝の前端から後端へ向かってリブ２３を上り傾斜状に形成して、ガイド溝２２の全体を傾斜させた。この場合には、ロックリブ３１をガイド溝２２と同じ角度で傾斜させて、軸２１が溝後端に達する直前に、ロック片３２がロックリブ３１をくぐり抜けるようにする。他は上記の実施例と同じであるので説明を省略し、同一部材に同一符号を付す。
【００２３】
図８にガイド溝２２の別の実施例を示す。そこでは、先の実施例と同様に主溝２２ａと斜め溝２２ｂとでガイド溝２２を形成する。斜め溝２２ｂの後端に、軸２１の下半周面を受け入れる保持部３８を凹み形成して、開放待機位置において軸２１が保持部３８に係合捕捉された状態で、蓋体１１を揺動開閉できるようにする。
【００２４】
上記以外に、軸２１を側壁１５の内面に突設し、蓋側壁１９の側にリブ２３を突設してガイド溝２２を形成することができる。蓋体１１は閉じ位置から９０度起立した位置まで開放できるに越したことはないが、必ずしもその必要はなく、開放位置において主面壁１８が傾斜する状態であってもよい。ガイド溝２２の全体および斜め溝２２ｂは、それぞれ湾曲する傾斜溝で形成することができる。ガイド溝２２は側壁１５あるいは蓋側壁１９に、各壁面を通設する状態で形成してもよい。
【００２５】
【発明の効果】
本発明の収納ケースによれば、一定量スライド開放してからでないと、蓋体１１を上開き揺動できない蓋開閉構造を採るので、収納ケースが他物と衝突し、あるいは落下衝撃を受けるような場合であっても、蓋体１１が簡単に開いてしまうのを防止して、ケース内に収納したディスクカートリッジ１の飛び出しを確実に防止できるうえ、必要時には第２開口１７を開放して、そこからディスクカートリッジ１やインデックスカード１３を容易に出し入れできる。ガイド溝２２の少なくとも一端寄りを傾斜させて、開放待機位置における蓋体１１の揺動中心を高く位置させ、揺動開閉時の主面壁１８と後壁１６との間の隙間量を十分に確保するので、開閉途中に主面壁１８が後壁１６と接当干渉するのを防止して、蓋体１１を支障なく確実に開閉できる。
【図面の簡単な説明】
【図１】蓋体とケース本体の連結部を示す断面図である。
【図２】収納ケースの内部構造を示す一部破断平面図である。
【図３】図６におけるＡ−Ａ線断面図である。
【図４】図６におけるＢ−Ｂ線断面図である。
【図５】蓋体を半ば開いた状態の斜視図である。
【図６】蓋体の動作を閉じ位置、開放待機位置、開放位置の各動作位置において示す断面図である。
【図７】ガイド溝の変形例を示す断面図である。
【図８】ガイド溝の別の変形例を示す断面図である。
【符号の説明】
１０  ケース本体
１１  蓋体
１２  第１開口
１７  第２開口
１９  蓋側壁
２１  軸
２２  ガイド溝
２２ａ  主溝
２２ｂ  斜め溝
【図１】
0003713847.tif 000002
【図２】
0003713847.tif 000003
【図３】
0003713847.tif 000004
【図４】
0003713847.tif 000005
【図５】
0003713847.tif 000006
【図６】
0003713847.tif 000007
【図７】
0003713847.tif 000008
【図８】
0003713847.tif 000009